(57)【特許請求の範囲】
【請求項１】
リュックサックの背負い面部の上部であって、リュックサックの左右方向略中程の位置においてフック基部を支持されるように備えられたフックと、
このフックを納めるポケットとを備えていることを特徴とするリュックサック。
【請求項２】
フックが、両端を背負い面部の上部にそれぞれ止着させてループ状をなす吊り手に沿って移動可能にフック基部側をこの吊り手に支持されていると共に、
ポケットが、背負い帯の外面側に、入り口をこの背負い帯の上端側に向けるようにして備えられていることを特徴とする請求項１記載のリュックサック。
【請求項３】
フックが、フック基部又はフック基部側に繋がれた接続体によって背負い面部側に繋がれていると共に、
ポケットが、背負い面部の外面側において入り口を上方に向けるように備えられていることを特徴とする請求項１記載のリュックサック。
【請求項４】
フックが、リュックサックの袋本体内において、フック基部又はフック基部側に繋がれた接続体によって背負い面部側に繋がれていると共に、
ポケットが、袋本体内に臨んだ背負い面部の内面側において入り口を上方に向けるように備えられており、
袋本体の上面にフックの取り出し用の開口が設けられていることを特徴とする請求項１記載のリュックサック。
【請求項５】
フックが、このフックの基部又はフック基部側とポケット内の生地との間に亘る接続体によって背負い面部側に繋がれていると共に、
この接続体の全部又は一部が、弾性を備えており、この接続体を引き延ばした状態でフックがポケットから引き出されるようになっていることを特徴とする請求項３又は請求項４に記載のリュックサック。
【請求項６】
ポケットの入り口側において、ポケットを構成する生地が内側に折り返されていると共に、この折り返し部の末端と入り口縁との間において、折り返し部の止着がなされていることを特徴とする請求項１〜請求項５のいずれか１項に記載のリュックサック。
【発明の詳細な説明】
【技術分野】
【０００１】
この発明は、リュックサックの改良に関する。
【背景技術】
【０００２】
リュックサックの上部には、通例、両端をこの上部に止着されてこの上部との間でループ形成するテープからなる吊り手が設けられている。リュックサックを背負い込まずに手で持つときにはこの吊り手が利用されている。
【０００３】
かかるリュックサックは、状況においては、何かに引っかけ吊り下げておくことが都合の良い場合もある。例えば、グラウンドにおいてスポーツをするに際しては、そのスポーツを行っている間、グラウンドの周囲に設置されているフェンスなどを利用してリュックサックを吊り下げさせておくことができれば、リュックサックを泥などで汚さずに済む。
【０００４】
しかしながら、前記吊り手はループを形成させるものであるため、こうした引っかけによる吊り下げにはそのままでは用いることはできない。別途Ｓ字フックを用意しておけば、吊り手に引っかけたこのＳ字フックを介してリュックサックをフェンスなどに引っかけることは可能であるが、リュックサック自体にその外観を損なうことなく合理的にこうしたフックを備えさせておくことができればリュックサックの価値をより向上させることができる。
【発明の開示】
【発明が解決しようとする課題】
【０００５】
この発明が解決しようとする主たる問題点は、リュックサック自体に、その外観性を損なうことなく、リュックサックを吊り下げるためのフックを合理的に備えさせるようにする点にある。
【課題を解決するための手段】
【０００６】
前記課題を達成するために、この発明にあっては、リュックサックを、リュックサックの背負い面部の上部であって、リュックサックの左右方向略中程の位置においてフック基部を支持されるように備えられたフックと、このフックを納めるポケットとを備えているものとした。
【０００７】
かかる構成によれば、フックを利用して、リュックサックを左右に偏りなく、かつ、いびつにすることなく、バランス良く吊り下げさせることができる。また、かかる吊り下げを要しないときは、ポケットによって、フックを邪魔にならず、かつ、目立たないように収納しておくことができる。
【０００８】
前記フックを、両端を背負い面部の上部にそれぞれ止着させてループ状をなす吊り手に沿って移動可能にフック基部側をもってこの吊り手に支持させておくと共に、
ポケットを、背負い帯の外面側に、入り口をこの背負い帯の上端側に向けるようにして備えさせておくこともある。
【０００９】
このようにした場合、背負い帯の上端側に設けられたポケットからフックを取り出した状態でこのフックを被吊り下げ対象物に引っかけると吊り手の中間にフック基部が移動しリュックサックをその左右方向略中程の位置で都合良く吊り下げることができる。
【００１０】
前記フックを、フック基部又はフック基部側に繋がれた接続体によって背負い面部側に繋げておくと共に、
ポケットを、背負い面部の外面側において入り口を上方に向けるように備えさせておくこともある。
【００１１】
このようにした場合、背負い面部の上部に設けられたポケットの入り口からフックを取り出した状態でこのフックを被吊り下げ対象物に引っかけることによりリュックサックをその左右方向略中程の位置で都合良く吊り下げることができる。
【００１２】
前記フックを、リュックサックの袋本体内において、フック基部又はフック基部側に繋がれた接続体によって背負い面部側に繋げておくと共に、
ポケットを、袋本体内に臨んだ背負い面部の内面側において入り口を上方に向けるように備えさせておき、
袋本体の上面にフックの取り出し用の開口を設けさせておくこともある。
【００１３】
このようにした場合、袋本体の上面に形成された開口を通じて背負い面部の内面の上部に設けられたポケットの入り口からフックを取り出した状態でこのフックを被吊り下げ対象物に引っかけることによりリュックサックをその左右方向略中程の位置で都合良く吊り下げることができる。
【００１４】
前記フックを、このフックの基部又はフック基部側とポケット内の生地との間に亘る接続体によって背負い面部側に繋げておくと共に、
この接続体の全部又は一部が、弾性を備えており、この接続体を引き延ばした状態でフックがポケットから引き出されるようにしておくこともある。
【００１５】
このようにした場合、接続体を引き延ばしながらフックはポケットから引き出されるものとされ、フックを被吊り下げ対象物から外したときは接続体の弾性復帰によってポケット内にフックが自然に戻り納まるようにすることができると共に、予期せずポケット内からフックが抜け出さないようにすることができる。
【００１６】
前記ポケットの入り口側において、ポケットを構成する生地が内側に折り返されていると共に、この折り返し部の末端と入り口縁との間において、折り返し部の止着をなすようにしておくこともある。
【００１７】
フックはそのフック先端とフック基部との間に亘る湾曲部を先にしてポケットに入れ込まれることとなり、入れ込まれたフックは、抜け出し方向に移動された場合そのフック先端を折り返し部に引っかけ得る向きでポケットに納められることから、フックは予期せずポケットから抜け出し難い。
【発明の効果】
【００１８】
この発明にあっては、リュックサックの背負い面部の上部であって、その左右方向略中程の位置に支持されるフックとこれを納めるポケットを有していることから、リュックサックに、その外観性を損なうことなく、つまりは、使用しないときはフックを外部に露呈させることのない態様で、リュックサックを吊り下げるためのフックを合理的に、つまりは、吊り下げたときに左右前後に偏頗のない態様でリュックサックが位置づけられるようにして、備えさせることができる。
【発明を実施するための最良の形態】
【００１９】
以下、図１〜図８に基づいて、この発明を実施するための最良の形態について説明する。
【００２０】
なお、ここで図１〜図３は、第一実施例にかかるリュックサックを、図４および図５は、第二実施例にかかるリュックサックを、図６〜図８は、第三実施例にかかるリュックサックを、それぞれ示している。
【００２１】
この実施の形態にかかるリュックサックは、背負い面部４の上部４０にフック１を備えており、このフック１を利用してリュックサックを必要に応じて吊り下げ得るようにしたものである。
【００２２】
例えば、グラウンドなどにおいてスポーツなどをするに際しては、そのスポーツなどを行っている間、設置されているフェンスなどにフック１を引っかけることでこのフェンスなどにリュックサックを吊り下げさせておくことができる。
【００２３】
例えばまた、電車などへの乗車時にリュックサックを背負い込んでいることが邪魔になるなどする場合には、つり革の輪などにフック１を引っかけることでこのつり革などにリュックサックを吊り下げさせておくことができる。
【００２４】
かかるリュックサックは、フック１とこのフック１を納めるポケット２とを備えている。
【００２５】
リュックサックとして、典型的には、背負い面部４の外面４１側に一対の背負い帯５、５を有すると共に、背負い面部４におけるこの外面４１に対して背中合わせとなる面（内面４７）を含んで構成される袋本体６とを備え、この袋本体６内を収納室６０としたものが予定される。
【００２６】
典型的には、背負い面部４には、発泡プラスチックなどよりなるマット状の肉材４２が内装され、袋本体６の他の面よりも厚みを持つように構成される。また、背負い帯５は、典型的には、発泡プラスチックなどよりなるパッド５０と調整テープ５１とを組み合わせて構成される。パッド５０の上端は背負い面部４の上部４０に止着され、このパッド５０の下端に調整テープ５１の上端がバックル５２を介して接続され、この調整テープ５１の下端側は背負い面部４の下部あるいは袋本体６の下部側の側部に止着などされる。袋本体６は、典型的には、上面６１と底面６２とこの上面６１と底面６２との間に亘る三方にそれぞれ側面６３を有し、残りの一側部を背負い面部４として内方を収納室６０とするように構成される。袋本体６には、典型的には、少なくともその上面６１にスライドファスナー６４ａなどによって開放可能に閉じ合わされた開口６４が設けられ、この開口６４を通じて収納室６０内に収納物を納め、また、納められた収納物を取り出すように構成される。
【００２７】
フック１は、典型的には、図示の例のように、フック先端１０とフック基部１１との間を導入口１２としてこの導入口１２からフック１内側に被吊り下げ対象物を入り込ませる鈎状をなすように構成される。また、かかるフック１としては、フック基部１１とフック先端１０との間に導入口１２を開放可能に閉塞させてループを作る回動片を備えたフック（ナス環）を用いることもできる。
【００２８】
図示の例では、フック１は、フック基部１１に両端をこのフック基部１１に一体に連接させたＵ字環部１３を備えている。そして、このＵ字環部１３とＤ字状をなす末端環部１４とを小判型をなす中間環部１５によって連接させてなる鎖部を持つように構成されている。図示の例では、この鎖部を構成する末端環部１４内に、背負い面部４側に止着された吊り手７（第一実施例）や接続体３（第二実施例・第三実施例）を通すことにより、フック１を背負い面部４側に支持させるように、具体的には、繋ぐようにしている。
【００２９】
図示の例とは別に、フック１は、フック基部１１に形成された前記Ｕ字環部１３などによる通し穴１３ａに前記吊り手７などを直接通して背負い面部４側に支持させるようにしておくこともある。
【００３０】
ポケット２は、リュックサックの吊り下げをなさないときに、フック１を収納しておくことができる大きさを持つと共に、典型的には上方に向いた入り口２０を有し、かかる吊り下げをなすときにはこの入り口２０から上方に向けてフック１を取り出せるように構成される。
【００３１】
また、前記フック１は、リュックサックの背負い面部４の上部４０であって、リュックサックの左右方向略中程の位置においてフック基部１１を支持されれるように備えられている。
【００３２】
この結果、この実施の形態にかかるリュックサックにあっては、フック１を利用して、リュックサックを左右に偏りなく、かつ、袋本体６をいびつにすることなく、バランス良く吊り下げさせることができる。また、かかる吊り下げを要しないときは、ポケット２によって、フック１を邪魔にならず、かつ、目立たないように収納しておくことができる。
【００３３】
（第一実施例）
図１〜図３に示される例にあっては、フック１が、両端を背負い面部４の上部４０にそれぞれ止着させてループ状をなす吊り手７に沿って移動可能にフック基部１１側をもってこの吊り手７に支持されている。それと共に、ポケット２が、背負い帯５の外面側（背負い帯５における背負い面部４に向き合わない側の面）に、入り口２０をこの背負い帯５の上端側に向けるようにして備えられている。
【００３４】
図示の例では、吊り手７は、テープの両端を背負い面部４の上部４０にそれぞれ止着させて、背負い面部４の上部４０との間でループを形成させている。フック１は、鎖部の末端環部１４に吊り手７を通してこの吊り手７に沿って移動できるようになっている。
【００３５】
ポケット２は、背負い帯５の幅寸法と略等しい幅を持った略長方形状の生地２１の長さ方向に沿った左右辺部２１ａ、２１ａと下辺２１ｂとを背負い帯５に止着させることにより構成されている。フック１は、このポケット２に、フック先端１０とフック基部１１とを共に含む仮想の平面が背負い帯５の外面に沿う向きで、このポケット２に入れ込まれるようになっている。
【００３６】
また、この例では、かかるポケット２の入り口２０側において、ポケット２を構成する生地２１が内側に折り返されていると共に、この折り返し部２２の末端２２ａと入り口縁２０ａとの間において、折り返し部２２の止着２２ｂがなされている。フック１はそのフック先端１０とフック基部１１との間に亘る湾曲部を先にしてポケット２に入れ込まれることとなり、入れ込まれたフック１は、抜け出し方向に移動された場合そのフック先端１０を折り返し部２２に引っかけ得る向きでポケット２に納められる。これにより、予期せずポケット２からフック１が抜け出してしまわないようになっている。
【００３７】
この例では、背負い帯５の上端側に設けられたポケット２からフック１を取り出した状態でこのフック１を被吊り下げ対象物に引っかけると吊り手７の中間にフック基部１１が移動しリュックサックはその左右方向略中程の位置で都合良く吊り下げられる。
【００３８】
（第二実施例）
図４および図５に示される例にあっては、フック１が、前記鎖部を介してフック基部１１側に繋がれた接続体３によって背負い面部４側に繋がれていると共に、ポケット２が、背負い面部４の外面４１側において入り口２０を上方に向けるように備えられている。
【００３９】
この例では、背負い面部４における上部に、背負い面部４における一対の背負い帯５、５の上端５３の止着箇所間に上方に向いた入り口２０を備えるようにして、ポケット２が形成されている。この例では、背負い面部４の上部４０において、背負い面部４の外面構成生地４３と内面構成生地４４とが分離されており、この分離部分が前記入り口２０となっていると共に、この入り口２０の両側から下方に続く縦縫着部４５と、左右のこの縦縫着部４５の下端間に亘る横縫着部４６とによって、この入り口２０の下方にポケット２が形成されている。
【００４０】
接続体３は、この例では、鎖部の末端環部１４に通されると共に両端をポケット２内の内面構成生地４４に止着させたテープ３０によって構成されている。テープ３０はポケット２の奥側において内面構成生地４４に止着されており、末端環部１４に繋がれた箇所を入り口２０から上方に突き出させない長さになっている。
【００４１】
これによりこの例では、背負い面部４の上部４０に設けられたポケット２の入り口２０からフック１を取り出した状態でこのフック１を被吊り下げ対象物に引っかけるとリュックサックはその左右方向略中程の位置で都合良く吊り下げられる。
【００４２】
この例ではまた、外面構成生地４３に肉材４２が内装されているので、ポケット２にフック１を納めた状態においてリュックサックを背負い込んだ者の背にフック１が突き当たり違和感を生じさせることがないようになっている。
【００４３】
また、この例では、かかる接続体３の一部が、弾性を備えており、この接続体３を引き延ばした状態でフック１がポケット２から引き出されるようになっている。
【００４４】
具体的には、この例では、接続体３を構成するテープ３０の長さの略半分が帯状ゴム紐３１によって構成されている。
【００４５】
これによりこの例では、接続体３を引き延ばしながらフック１はポケット２から引き出されるものとされ、フック１を被吊り下げ対象物から外したときは接続体３の弾性復帰によってポケット２内にフック１が自然に戻り納まるようにすることができると共に、予期せずポケット２内からフック１が抜け出さないようにすることができる。
【００４６】
（第三実施例）
図６〜図８に示される例にあっては、フック１が、リュックサックの袋本体６内において、フック基部１１に繋がれた接続体３によって背負い面部４側に繋がれていると共に、ポケット２が、袋本体６内に臨んだ背負い面部４の内面４７側において入り口２０を上方に向けるように備えられている。そして、袋本体６の上面６１にかかるフック１の取り出し用の開口６５を備えている。
【００４７】
この例では、背負い面部４における内面４７、つまり、袋本体６の収納室６０に臨んだ面の上部に、上方に向いた入り口２０を備えるようにして、ポケット２が形成されている。この例では、背負い面部４の内面構成生地４４に対し、略方形の生地２１を左右両辺２１ａ、２１ａと下辺２１ｂにおいて止着させることで、袋本体６の内部にかかるポケット２が形成されている。
【００４８】
接続体３は、この例では、鎖部の末端環部１４に通されると共に、両端をポケット２の入り口２０の上方にある背負い面部４の内面構成生地４４の上端に止着させたテープ３０によって構成されている。
【００４９】
前記開口６５は、袋本体６の上面６１と背負い面部４とが接し合う縁に沿って袋本体６の左右に長く続くように形成されており、スライドファスナー６５ａによって開放可能に閉じ合わされるようになっている。
【００５０】
これによりこの例では、袋本体６の上面６１に形成された開口６５を通じて背負い面部４の内面４７の上部に設けられたポケット２の入り口２０からフック１を取り出した状態でこのフック１を被吊り下げ対象物に引っかけるとリュックサックはその左右方向略中程の位置で都合良く吊り下げられる。
【００５１】
この例ではまた、外面構成生地４３に肉材４２が内装されているので、ポケット２にフック１を納めた状態においてリュックサックを背負い込んだ者の背にフック１が突き当たり違和感を生じさせることがないようになっている。
【図面の簡単な説明】
【００５２】
【図１】第一実施例にかかるリュックサックの斜視構成図
【図２】同要部斜視構成図
【図３】図２におけるＡ−Ａ線断面図
【図４】第二実施例にかかるリュックサックの一部破断斜視構成図
【図５】同要部断面構成図
【図６】第三実施例にかかるリュックサックの斜視構成図
【図７】同要部断面構成図（収納室６０内から見た様子）
【図８】図７におけるＢ−Ｂ線断面図
【符号の説明】
【００５３】
１  フック
１１  フック基部
２  ポケット
４  背負い面部
４０  上部
【図１】
0004558666.tif 000002
【図２】
0004558666.tif 000003
【図３】
0004558666.tif 000004
【図４】
0004558666.tif 000005
【図５】
0004558666.tif 000006
【図６】
0004558666.tif 000007
【図７】
0004558666.tif 000008
【図８】
0004558666.tif 000009